(57)【要約】【課題】  樹脂製あるいは板厚の薄い遊技機パネルに遊技機用釘の打ち込みを可能とする。【解決手段】  遊技機パネル２ａに打ち込みが可能な打込部１４が釘本体部１１ａの一方端に形成された遊技機用釘１１であって、打込部１４は、外周に螺旋溝が形成された螺旋部１４ａと、螺旋部１４ａの先端に形成され、螺旋部１４ａの外径よりも小径で最先端が平面となった先端部１４ｂとを有する構造とする。また、遊技機パネル２ａには貫通孔２ａ−１が形成されており、この貫通孔２ａ−１に打ち込まれて固定された遊技機用釘１１の先端部１４ｂに形成された最先端の平面が遊技機パネル２ａの裏面と同一平面上となるように配する。【選択図】        図７
2005204862.tif 000002
【特許請求の範囲】
【請求項１】
遊技機パネルに打ち込みが可能な打込部が釘本体部の一方端に形成された遊技機用釘であって、
前記打込部は、
外周に螺旋溝が形成された螺旋部と、
前記螺旋部の先端に形成され、前記螺旋部の外径よりも小径で最先端が平面となった先端部とを有することを特徴とする遊技機用釘。
【請求項２】
前記先端部は、前記螺旋部側から最先端に向かって径が小さくなるテーパ形状となっていることを特徴とする請求項１記載の遊技機用釘。
【請求項３】
遊技機パネル、および前記打込部が前記遊技機パネルに打ち込まれて固定された請求項１または２記載の遊技機用釘を含む遊技盤であって、
前記遊技機用釘の前記先端部に形成された最先端の平面が前記遊技機パネルの裏面と同一平面上に配されていることを特徴とする遊技盤。
【請求項４】
前記遊技機パネルには、前記螺旋部の外径よりも小径で、且つ前記先端部の少なくとも一部が挿入可能な貫通孔が形成され、
前記遊技機用釘は、前記貫通孔に前記打込部が打ち込まれて前記遊技機パネルに固定されていることを特徴とする請求項３記載の遊技盤。
【請求項５】
前記遊技機パネルは樹脂製であることを特徴とする請求項３または４記載の遊技盤。
【請求項６】
前記遊技機パネルは透光性を有する樹脂製であることを特徴とする請求項５記載の遊技盤。
【請求項７】
請求項３〜６の何れか一項に記載の遊技盤が用いられていることを特徴とする弾球遊技機。
【発明の詳細な説明】
【技術分野】
【０００１】
本発明は遊技機用釘およびそれを用いた遊技盤ならびに弾球遊技機に関するものである。
【背景技術】
【０００２】
パチンコ遊技機（弾球遊技機）においては、遊技盤がガラスを通して視認可能に装着されている。この遊技盤は、遊技機パネルと、遊技機パネルに取り付けられた多数の遊技機用釘や風車などの障害物や入賞装置等で構成されている。
【０００３】
ここで、従来のパチンコ遊技機では木製の遊技機パネルが用いられており、このような木製の遊技機パネルに打ち込まれる遊技機用釘は、遊技機パネルから容易に離脱しないように、打ち込まれる部位に螺旋部が設けているものがある。そして、たとえば特開平７−２７５４４７号公報に記載のように、螺旋部の先端には尖り部が形成されており、打ち込みの際の遊技機パネルへの位置決めの役割を果たしている。
【０００４】
このような遊技機用釘では、遊技機パネルに位置決めされた状態で打ち込みがなされると、釘自体が自転して螺旋部が遊技機パネルを切削しながら埋没されていき、遊技機パネルに取り付けられる。
【特許文献１】特開平７−２７５４４７号公報
【発明の開示】
【発明が解決しようとする課題】
【０００５】
しかしながら、上記のような従来の遊技機用釘では、これを板厚の薄い遊技機パネルへ打ち込む場合、尖り部が遊技機パネルを貫通して裏側に突出してしまうため、遊技機パネルの裏側に球通路が存在していたり、特別図柄等を表示する表示手段であるＬＣＤや遊技動作を司る基板などが配置されていると障害になる。
【０００６】
また、遊技機用釘を裏側に突出しないようにすると、遊技機パネルの表側に螺旋部の一部が露呈して外観を害するばかりでなく、引き抜きに対する強度も低下する。
【０００７】
そこで、本発明は、板厚の薄い遊技機パネルへの打ち込みが可能な遊技機用釘およびそれを用いた遊技盤ならびに弾球遊技機を提供することを目的とする。
【課題を解決するための手段】
【０００８】
上記課題を解決するため、本発明に係る遊技機用釘は、遊技機パネルに打ち込みが可能な打込部が釘本体部の一方端に形成された遊技機用釘であって、前記打込部は、外周に螺旋溝が形成された螺旋部と、前記螺旋部の先端に形成され、前記螺旋部の外径よりも小径で最先端が平面となった先端部とを有することを特徴とする。
【０００９】
このように遊技機用釘における打込部の最先端を平面にしているので、遊技機用釘を板厚の薄い遊技機パネルへ打ち込んでもパネル裏側には突出せず、打ち込まれた遊技機用釘が遊技機パネルの裏側に配置された球通路や表示手段、基板などの障害にはならない。
【００１０】
また、遊技機用釘における打込部の最先端を平面にしているので、螺旋部を遊技機パネルの表面に露呈させることなく長くできるので、外観を害することなく、しかも引き抜きに対する強度の低下もない。
【００１１】
本発明の好ましい形態において、前記先端部は、前記螺旋部側から最先端に向かって径が小さくなるテーパ形状となっていることを特徴とする。
【００１２】
これにより、遊技機パネルに形成された貫通孔への挿入が容易になり、打ち込みの際の位置決めをスムーズに行うことができる。
【００１３】
また、本発明に係る遊技盤は、遊技機パネル、および前記打込部が前記遊技機パネルに打ち込まれて固定された前述の遊技機用釘を含む遊技盤であって、前記遊技機用釘の前記先端部に形成された最先端の平面が前記遊技機パネルの裏面と同一平面上に配されていることを特徴とする。
【００１４】
これにより、最先端が平面の遊技機用釘を板厚の薄い遊技機パネルへ打ち込んでもパネル裏側には突出せず、打ち込まれた遊技機用釘が遊技機パネルの裏側に配置された球通路や表示手段、基板などの障害にはならない。
【００１５】
また、遊技機用釘の螺旋部を遊技機パネルの表面に露呈させることなく長くできるので、外観を害することなく、しかも引き抜きに対する強度の低下もない。
【００１６】
本発明のさらに好ましい形態において、前記遊技機パネルには、前記螺旋部の外径よりも小径で、且つ前記先端部の少なくとも一部が挿入可能な貫通孔が形成され、前記遊技機用釘は、前記貫通孔に前記打込部が打ち込まれて前記遊技機パネルに固定されていることを特徴とする。
【００１７】
これにより、遊技機パネルに形成された貫通孔へ先端部を挿入するだけで遊技機用釘の位置決めがされるので、打ち込みの際の位置決めを容易に行うことができる。
【００１８】
本発明のさらに好ましい形態において、前記遊技機パネルは樹脂製であることを特徴とする。
【００１９】
これにより、螺旋部の外径よりも小径の貫通孔に遊技機用釘を打ち込んでいるので、遊技機用釘を打ち込んでも樹脂製の遊技機パネルにクラックが入ったり、割れてしまうことがない。
【００２０】
本発明のさらに好ましい形態において、前記遊技機パネルは透光性を有する樹脂製であることを特徴とする。
【００２１】
これにより、遊技機パネルの裏面と同一平面になっている遊技機用釘の最先端は見えないので、遊技者に視覚的な煩雑感を惹起させることがない。
【００２２】
そして、本発明に係る弾球遊技機は、前述した遊技盤が用いられていることを特徴とする。
【００２３】
これにより、打ち込まれた遊技機用釘が遊技機パネルの裏側に配置された球通路や表示手段、基板などの障害にはならず、また、螺旋部を遊技機パネルの表面に露呈させることなく長くできるので、外観を害することなく、しかも引き抜きに対する強度の低下もなくなる。
【発明の効果】
【００２４】
本発明によれば以下の効果を奏することができる。
【００２５】
すなわち、遊技機用釘における打込部の最先端を平面にしているので、遊技機用釘を板厚の薄い遊技機パネルへ打ち込んでもパネル裏側には突出せず、打ち込まれた遊技機用釘が遊技機パネルの裏側に配置された球通路や表示手段、基板などの障害にはならない。
【００２６】
また、遊技機用釘における打込部の最先端を平面にしているので、螺旋部を遊技機パネルの表面に露呈させることなく長くできるので、外観を害することなく、しかも引き抜きに対する強度の低下もない。
【発明を実施するための最良の形態】
【００２７】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２８】
図１は本発明の一実施の形態であるパチンコ遊技機を示す斜視図、図２は図１のパチンコ遊技機に装着された遊技盤を示す斜視図、図３は図２の遊技機パネルに固定された遊技機用釘およびその周辺部分を断面にて示す説明図、図４は本発明の一実施の形態である遊技機用釘を示す側面図、図５は図４の遊技機用釘の要部を示す斜視図、図６は遊技機パネルに打ち込まれていく図４の遊技機用釘を順を追って示す説明図、図７は遊技機パネルに固定された遊技機用釘を示す断面図、図８は本発明の他の実施の形態である遊技機用釘の要部を示す斜視図である。
【００２９】
図１に示すように、パチンコ遊技機（弾球遊技機）１は、遊技盤２が装着された本体枠３ａがヒンジを介してベース枠３ｂに回動可能に取り付けられ、これら本体枠３ａおよびベース枠３ｂで本体部３が構成されている。そして、このような本体部３に対して、遊技盤２を視認可能に被うガラス扉４、およびガラス扉４の下側に位置する皿ユニット５が取り付けられている。ガラス扉４および皿ユニット５は、その一端が本体部３に回動可能に軸支されており、他端がロック装置（図示せず）により本体部３に係合するようになっている。
【００３０】
図２に詳しく示すように、遊技盤２は、たとえばポリカーボネートなど透光性を有する樹脂製の遊技機パネル２ａと、遊技機パネル２ａ上のガラス扉４に包囲された領域に配置された多数の遊技機用釘１１や風車（図示せず）などの障害物や入賞装置１２等からなる遊技部材で構成されており、発射された遊技球が打ち込まれて流下する遊技領域がある。そして、本実施の形態においては、透光性を有する遊技機パネル２ａに合わせて、遊技機用釘１１を除く遊技部材もまた、透光性部材で形成されている。
【００３１】
但し、遊技機パネル２ａはポリカーボネート以外の樹脂であってもよく、また透光性を有していなくてもよい。さらに、遊技機パネル２ａは木製とすることもできる。なお、図２において、遊技機用釘１１は一部しか図示されておらず、実際にはさらに多数の遊技機用釘が打ち込まれている。
【００３２】
また、略四角形の遊技機パネル２ａの４カ所の隅部にはブラケット９ａ，９ｂ，９ｃ，９ｄが取り付けられている。そして、向かって左側上下に位置するブラケット９ａ，９ｂにより遊技盤２が本体枠３ａに対して回動可能に保持され、向かって右側上下に位置するブラケット９ｃ，９ｄにより遊技盤２が本体枠３ａにロックされる。
【００３３】
図３に示すように、遊技機用釘１１が打ち込まれた遊技機パネル２ａの前面にはガラス扉（図１）にはめ込まれたガラス４ａが位置しており、背後には、例えば液晶ディスプレイ、ＣＲＴ（陰極線管）あるいはプラズマディスプレイ等からなり、画像信号入力に基づいて任意の画像を表示する図柄表示部１３が、透光性を有する遊技機パネル２ａを介して視認可能に配置されている。なお、遊技機パネルが透光性を有していない場合には、図柄表示部１３は遊技機パネルに開口された表示孔を介して視認可能に配置される。
【００３４】
遊技盤２の下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２の遊技領域へ遊技球を打ち込む際に回動操作されるハンドル７が設けられている。
【００３５】
また、ガラス扉４の上部の左右には、スピーカ８ａ，８ｂがそれぞれ配置されている。
【００３６】
ここで、遊技機パネル２ａに固定された遊技機用釘１１は、図４に示すように、その釘本体部１１ａの一方端に、遊技機パネル２ａに打ち込まれる部分である打込部１４が、他方端に、釘本体部１１ａの大きな径の頭部１５が、それぞれ形成されている。打込部１４は、外周に捩れ状の螺旋溝が形成された螺旋部１４ａと、この螺旋部１４ａの先端に形成されて螺旋部１４ａの外径よりも小径の先端部１４ｂとからなる。先端部１４ｂは、図５に詳しく示すように、螺旋部１４ａ側から最先端に向かって径が小さくなるテーパ形状となっており、その最先端は平面となっている。
【００３７】
遊技機用釘１１の釘本体部１１ａは外径１．８５ｍｍ、長さ２１．５ｍｍ、頭部１５は外径４．３ｍｍ、厚さ１ｍｍ、螺旋部１４ａは外径１．７ｍｍ、長さ４．５ｍｍである。また、先端部１４ｂは、最も螺旋部１４ａ側が最大外径で１．８５ｍｍ、最先端が最小外径で１．０４ｍｍ、テーパ面でなす角θ６０°、長さ１．０ｍｍである。なお、先端部１４ｂの長さの内、螺旋部１４ａ側にわずかに形成されたストレート部分の長さが０．３ｍｍ、テーパ部分の長さが０．７ｍｍとなっている。また、遊技機用釘１１が打ち込まれる遊技機パネル２ａの厚さは６〜７ｍｍである。但し、これらの数値は一例に過ぎず、本発明がこれに限定されるものではない。
【００３８】
次に、このような遊技機用釘１１の遊技機パネル２ａに対する打ち込みについて、図６を用いて説明する。
【００３９】
図６（ａ）に示すように、遊技機パネル２ａにおける遊技機用釘１１の固定位置には、螺旋部１４ａの外径よりも小径で、且つ先端部１４ｂの最大外径よりも大径の貫通孔２ａ−１が予め形成されている。そして、先ず最初に、遊技機用釘１１が遊技機パネル２ａに対して略直角になるようにして先端部１４ｂを貫通孔２ａ−１に挿入し、遊技機用釘１１を位置決めする。このとき、前述のように先端部１４ｂはテーパ形状になっているので、遊技機パネル２ａへの打ち込みの位置決めが容易に行われる。
【００４０】
なお、先端部１４ｂを貫通孔２ａ−１に挿入することで遊技機用釘１１を位置決めすることから、先端部１４ｂの全部ではなく、一部が挿入できるようになっていれば足りる。つまり、貫通孔２ａ−１の遊技機用釘１１の先端部１４ｂに対する孔径は、テーパ形状になった先端部１４ｂの最先端部の外径、つまり最小外径よりも大きければよく、必ずしも先端部１４ｂの最大外径よりも大きくなくてもよい。
【００４１】
ここで、貫通孔２ａ−１は遊技機パネル２ａの裏面から表面に向けて僅かに上方に傾斜して形成されており、したがって、打ち込まれた遊技機用釘１１は僅かに上方に傾斜した状態で遊技機パネル２ａに固定されることになる。これにより、流下する遊技球は、遊技機用釘１１が遊技機パネル２ａに対して直角あるいは下方に傾斜した状態で固定された場合に比べてより上方に弾き返されるようになるので、遊技領域への滞留時間が長くなって遊技者に有利になる。
【００４２】
次に、図６（ｂ）に示すように、遊技機用釘１１の頭部１５を軸方向に押圧すると、この遊技機用釘１１は釘自体が自転して螺旋部１４ａが貫通孔２ａ−１の内周面を切削しながら打込部１４が埋没されていき、図６（ｃ）に示すように、遊技機パネル２ａに取り付けられる。
【００４３】
そして、最終的に遊技機パネル２ａに取り付けられた状態では、図７に詳しく示すように、遊技機用釘１１の打込部１４の先端部１４ｂに形成された最先端の平面が遊技機パネル２ａの裏面と同一平面上となるように配される。
【００４４】
このように、本願の遊技機用釘１１によれば、打込部１４の最先端を平面にしているので、これを板厚の薄い遊技機パネル２ａへ打ち込んでも遊技機パネル２ａの裏側に突出しない。したがって、遊技機用釘１１が遊技機パネル２ａの裏側に配置された球通路や表示手段、基板などの障害にはならない。
【００４５】
また、このように打込部１４の最先端を平面にしているので、螺旋部１４ａを遊技機パネル２ａの表面に露呈させることなく長くできるので、外観を害することなく、しかも引き抜きに対する強度の低下もない。
【００４６】
さらに、打込部１４の先端部１４ｂを螺旋部１４ａ側から最先端に向かって径が小さくなるテーパ形状にしているので、遊技機パネル２ａに形成された貫通孔２ａ−１への挿入が容易になり、打ち込みの際の位置決めをスムーズに行うことができる。
【００４７】
遊技機パネル２ａに遊技機用釘１１の螺旋部１４ａの外径よりも小径の貫通孔２ａ−１を形成し、この貫通孔２ａ−１に遊技機用釘１１を打ち込むようにしているので、遊技機パネルに形成された貫通孔２ａ−１へ先端部１４ｂを挿入するだけで、遊技機用釘１１の位置決めを容易に行うことができる。
【００４８】
さらに、遊技機パネル２ａが木製の場合には、遊技機用釘の先端に尖り部を形成しておけば、この尖り部で釘打ち込みの際の遊技機パネル２ａへの位置決めをして遊技機用釘を打ち込んでいくことができるが、遊技機パネル２ａを樹脂製とした場合には、このような打ち込みを行うと遊技機パネル２ａにクラックが入ったり、割れてしまったりするおそれがある。
【００４９】
これに対して、本実施の形態では、螺旋部１４ａの外径よりも小径の貫通孔２ａ−１を遊技機パネル２ａに形成しておき、この貫通孔２ａ−１に遊技機用釘１１を打ち込むようにしているので、遊技機用釘１１を打ち込んでも樹脂製の遊技機パネル２ａにクラックが入ったり、割れてしまうことはない。
【００５０】
そして、打込部１４の先端部１４ｂに形成された最先端の平面が透光性を有する遊技機パネル２ａの裏面と同一平面上となるように遊技機用釘１１を取り付けているので、遊技機パネル２ａの裏側に遊技機用釘１１の突出した部分がなくなる。これにより、遊技機パネル２ａの前面から斜めに見るとその裏面が見えるが、裏面と同一平面になっている遊技機用釘１１の最先端は見えないので、遊技者に視覚的な煩雑感を惹起させることがない。
【００５１】
以上の説明においては、先端部１４ｂを貫通孔２ａ−１に挿入し易いようにとの配慮から、遊技機用釘１１の先端部１４ｂはテーパ形状となっているが、図８に示すように、全ての箇所で外径が同じ形状、つまりストレート形状でもよい。
【産業上の利用可能性】
【００５２】
以上の説明においては、本発明を弾球遊技機の一つであるパチンコ遊技機に適用した場合が説明されているが、本発明はパチンコ遊技機に限定されるものではなく、たとえばスマートボールや雀球など様々な弾球遊技機に適用することが可能である。
【図面の簡単な説明】
【００５３】
【図１】本発明の一実施の形態であるパチンコ遊技機を示す斜視図である。
【図２】図１のパチンコ遊技機に装着された遊技盤を示す斜視図である。
【図３】図２の遊技機パネルに固定された遊技機用釘およびその周辺部分を断面にて示す説明図である。
【図４】本発明の一実施の形態である遊技機用釘を示す側面図である。
【図５】図４の遊技機用釘の要部を示す斜視図である。
【図６】遊技機パネルに打ち込まれていく図４の遊技機用釘を順を追って示す説明図である。
【図７】遊技機パネルに固定された遊技機用釘を示す断面図である。
【図８】本発明の他の実施の形態である遊技機用釘の要部を示す斜視図である。
【符号の説明】
【００５４】
１  パチンコ遊技機（弾球遊技機）
２  遊技盤
２ａ  遊技機パネル
２ａ−１  貫通孔
１１  遊技機用釘
１１ａ  釘本体部
１４  打込部
１４ａ  螺旋部
１４ｂ  先端部
１５  頭部
【図１】
2005204862.tif 000003
【図２】
2005204862.tif 000004
【図３】
2005204862.tif 000005
【図４】
2005204862.tif 000006
【図５】
2005204862.tif 000007
【図６】
2005204862.tif 000008
【図７】
2005204862.tif 000009
【図８】
2005204862.tif 000010